(57)【要約】【課題】ユニット天井部の強度を確保しながら、断熱性能の低下を抑制することができる建物の断熱構造を提供する。【解決手段】下階ユニット２０Ａの上方には、上階ユニット２０Ｂが下階ユニット２０Ａに対してセットバックさせて設置されている。上階ユニット２０Ｂにおいて屋外側に配置された床大梁２３Ａは下階ユニット２０Ａの天井部の中間部上に配置されている。下階ユニット２０Ａにおいて対向する一対の天井大梁２２間には、天井面材２７と床大梁２３Ａとの間で当該床大梁２３Ａに沿って延びる補強梁３１が架け渡されている。補強梁３１は、床大梁２３Ａから下方に離間させて配置され、かつ、天井面材２７から上方に離間させて配置されている。補強梁３１と床大梁２３Ａとの間には、天井断熱材４６の一部が挟み込まれ、補強梁３１と天井面材２７との間には、天井断熱材４５の一部が挟み込まれている。【選択図】      図５
2014159700.tif 000002
【特許請求の範囲】
【請求項１】
下階ユニットの上方に上階ユニットが前記下階ユニットに対してセットバックさせて設置されることにより、前記上階ユニットにおいて屋外に面した一側面が前記下階ユニットの側面に対して内方へオフセットされているユニット式の建物に適用され、
前記下階ユニットにおける対向する一対の天井大梁間には補強梁が架け渡されており、
前記補強梁は、前記上階ユニットにおいて前記オフセットされた一側面に沿って延びる上階床大梁の下方にて当該床大梁に沿って延びるように設けられており、
前記補強梁は、前記上階床大梁から下方に離間させて配置され、かつ、前記下階ユニットの下階天井面材から上方に離間させて配置されており、
前記補強梁と前記上階床大梁との間には、当該補強梁に沿って延びる第１断熱材が挟み込まれており、
前記補強梁と前記下階天井面材との間には、当該補強梁に沿って延びる第２断熱材が挟み込まれていることを特徴とする建物の断熱構造。
【請求項２】
前記下階ユニットにおいて前記下階天井面材の上方空間となる天井裏空間のうち、少なくともその上方に前記上階ユニットが配置されていない領域には複数の天井断熱材が上下に重ねて設けられており、
それら複数の天井断熱材のうちいずれか２つの天井断熱材について、上側の天井断熱材が、前記補強梁と前記上階床大梁との間に一部が挟み込まれて前記第１断熱材となっており、下側の天井断熱材が、前記補強梁と前記下階天井面材との間に一部が挟み込まれて前記第２断熱材となっていることを特徴とする請求項１に記載の建物の断熱構造。
【請求項３】
前記補強梁と前記下階天井面材との間の間隔は、前記補強梁と前記上階床大梁との間の間隔よりも大きくなっていることを特徴とする請求項１又は２に記載の建物の断熱構造。
【請求項４】
前記下階ユニットにおける前記対向する一対の天井大梁間には、前記下階天井面材を支持する複数の天井小梁が架け渡されており、
前記補強梁は、その高さ寸法が前記天井大梁よりも小さく、かつ、前記天井小梁よりも大きいことを特徴とする請求項１乃至３のいずれか一項に記載の建物の断熱構造。
【請求項５】
前記下階ユニットにおける前記対向する一対の天井大梁間には、前記下階天井面材を支持する複数の天井小梁が前記補強梁と同方向に延びる向きで架け渡されており、前記補強梁及び前記複数の天井小梁は互いに等間隔で並んで配置されており、
前記対向する天井大梁の間には、前記補強梁とそれと隣り合う前記天井小梁との間に、前記天井小梁とともに前記下階天井面材を支持する補助小梁が架け渡されていることを特徴とする請求項１乃至４のいずれか一項に記載の建物の断熱構造。
【請求項６】
前記補助小梁は、前記補強梁を挟んだ両側にそれぞれ設けられており、
前記第２断熱材は、前記下階天井面材と前記上階ユニットの床面材との間の階間空間へ延び、その階間空間に配設される前記補助小梁の少なくとも一部を覆うように設けられていることを特徴とする請求項５に記載の建物の断熱構造。
【請求項７】
前記第２断熱材は、前記階間空間に配設された前記補助小梁を上方から覆った状態で設けられていることを特徴とする請求項６に記載の建物の断熱構造。
【請求項８】
前記補助小梁は、その高さ寸法が前記補強梁よりも小さくされていることを特徴とする請求項５乃至７のいずれか一項に記載の建物の断熱構造。
【発明の詳細な説明】
【技術分野】
【０００１】
本発明は、建物の断熱構造に関する。
【背景技術】
【０００２】
複数階を有してなるユニット式の建物では、下階ユニットの上方に上階ユニットがセットバック（後退）させて配置されているものがある。このような建物では、下階ユニットにおいて屋外に面した一側面が下階ユニットの側面に対して内方へオフセットされている。
【０００３】
特許文献１には、このような建物において、上階ユニットにおける上記オフセットされた側面に沿って延びる上階床大梁と、下階ユニットの天井面材との間に断熱材を配設（充填）した断熱構造が開示されている。これによれば、上階床大梁と天井面材との間を通じて外気が階間空間（詳しくは下階ユニットの天井面材と上階ユニットの床面材との間の空間）に出入りするのを抑制することができるため、断熱性能の低下を抑制することができる。
【先行技術文献】
【特許文献】
【０００４】
【特許文献１】特許第３８８７０９２号公報
【発明の概要】
【発明が解決しようとする課題】
【０００５】
ところで、上階ユニットが下階ユニット上にセットバックさせて配置される上述の構成では、上階ユニットの荷重の一部が下階ユニットの天井部（天井大梁）における中間部上に作用することとなるため、その荷重によって下階ユニットの天井部が下方に撓む等の変形が生じることが懸念される。また、地震等により建物に水平方向への荷重が作用した場合の天井部の抵抗力（耐力）の面でも不安がある。
【０００６】
そこで、この対策として、下階ユニットの天井部を補強すべく、同ユニットの対向する一対の天井大梁間に補強梁を架け渡すことが考えられる。この場合、天井部を好適に補強する上では、補強梁は、上階ユニットの上記オフセットされた側面に沿って延びる上階床大梁の下方（真下）にて同大梁に沿って設けることが望ましい。この場合、例えば下階ユニットの天井部において上階床大梁の下方に位置する天井小梁を剛性の高い梁材（例えば上下高さの高い梁材）を用いて構成し、それを補強梁とすることが考えられる。すなわち、天井面材を支持する天井小梁の一部を天井部の補強用として兼用することが考えられる。
【０００７】
このような構成では、補強梁の下面に天井面材（又はその下地材）が取り付けられる一方、補強梁の上面が上階床大梁から下方に離間される。この場合、補強梁と上階床大梁との間に断熱材を配設し、それら両者間を通じた外気の出入りを抑制することで、断熱性能の低下を抑制することができると考えられる。しかしながら、補強梁と天井面材との間も気密が十分とは言えず、それら両者間を通じて外気の出入りが生じるおそれがある。そのため、依然として断熱性能の低下が生じるおそれがある。
【０００８】
本発明は、上記事情に鑑みてなされたものであり、ユニット天井部の強度を確保しつつ、断熱性能の低下を抑制することができる建物の断熱構造を提供することを主たる目的とするものである。
【課題を解決するための手段】
【０００９】
上記課題を解決すべく、第１の発明の建物の断熱構造は、下階ユニットの上方に上階ユニットが前記下階ユニットに対してセットバックさせて設置されることにより、前記上階ユニットにおいて屋外に面した一側面が前記下階ユニットの側面に対して内方へオフセットされているユニット式の建物に適用され、前記下階ユニットにおける対向する一対の天井大梁間には補強梁が架け渡されており、前記補強梁は、前記上階ユニットにおいて前記オフセットされた一側面に沿って延びる上階床大梁の下方にて当該床大梁に沿って延びるように設けられており、前記補強梁は、前記上階床大梁から下方に離間させて配置され、かつ、前記下階ユニットの下階天井面材から上方に離間させて配置されており、前記補強梁と前記上階床大梁との間には、当該補強梁に沿って延びる第１断熱材が挟み込まれており、前記補強梁と前記下階天井面材との間には、当該補強梁に沿って延びる第２断熱材が挟み込まれていることを特徴とする。
【００１０】
本発明によれば、下階ユニットの天井部に補強梁が設けられているため、当該天井部の強度を高めることができる。また、補強梁は、上階ユニットの上階床大梁と下階ユニットの下階天井面材との間に設けられ、それら両部材とそれぞれ離間させて配置されている。そして、補強梁と上階床大梁との間には第１断熱材が挟み込まれ、補強梁と下階天井面材との間には第２断熱材が挟み込まれている。この場合、補強梁の上下両側でそれぞれ外気の出入りが生じるのを抑制することができ、その結果、外気の出入りに伴う断熱性能の低下を抑制することができる。よって、この場合、下階ユニットの天井部の強度を確保しつつ、断熱性能の低下を抑制することができる。
【００１１】
第２の発明の建物の断熱構造は、第１の発明において、前記下階ユニットにおいて前記下階天井面材の上方空間となる天井裏空間のうち、少なくともその上方に前記上階ユニットが配置されていない領域には複数の天井断熱材が上下に重ねて設けられており、それら複数の天井断熱材のうちいずれか２つの天井断熱材について、上側の天井断熱材が、前記補強梁と前記上階床大梁との間に一部が挟み込まれて前記第１断熱材となっており、下側の天井断熱材が、前記補強梁と前記下階天井面材との間に一部が挟み込まれて前記第２断熱材となっていることを特徴とする。
【００１２】
本発明によれば、下階ユニットの天井裏空間のうち、その上方に上階ユニットが配置されていない領域に複数の天井断熱材が上下に重ねて設けられているため、下階ユニットにおいて上階ユニットよりも外方（屋外側）に張り出した張出部分についてその天井部の断熱性能を高めることができる。そして、これら複数の天井断熱材のうちいずれか２つをそれぞれ補強梁と上階床大梁との間、及び、補強梁と下階天井面材との間に挟み込むようにしているため、第１断熱材及び第２断熱材をそれぞれ天井断熱材とは別部材として設ける場合と比べ、構成の簡素化を図ることができる。
【００１３】
また、構成の簡素化をより一層図る上では、天井断熱材を二枚重ねとし、そのうち上側を第１断熱材、下側を第２断熱材とするのが望ましい。
【００１４】
第３の発明の建物の断熱構造は、第１又は第２の発明において、前記補強梁と前記下階天井面材との間の間隔は、前記補強梁と前記上階床大梁との間の間隔よりも大きくなっていることを特徴とする。
【００１５】
本発明によれば、補強梁と下階天井面材との間の間隔が、補強梁と上階床大梁との間の間隔よりも大きくなっているため、補強梁と下階天井面材との間に挟み込まれる第２断熱材の厚みを補強梁と上階床大梁との間に挟み込まれる第１断熱材の厚みよりも大きくすることができる。これにより、屋外の熱が補強梁を介して下階天井面材へ伝わるのを抑制することができ、ひいてはその下方の居室空間へ伝わるのを抑制することができる。そのため、断熱性能の低下をより一層抑制することができる。
【００１６】
第４の発明の建物の断熱構造は、第１乃至第３のいずれかの発明において、前記下階ユニットにおける前記対向する一対の天井大梁間には、前記下階天井面材を支持する複数の天井小梁が架け渡されており、前記補強梁は、その高さ寸法が前記天井大梁よりも小さく、かつ、前記天井小梁よりも大きいことを特徴とする。
【００１７】
本発明によれば、補強梁の高さ寸法（上下高さ）が天井大梁の高さ寸法よりも小さいため、補強梁と上階床大梁との間、及び、補強梁と下階天井面材との間にそれぞれ隙間を確保し易い。そのため、それら各隙間に第１断熱材及び第２断熱材を挟み込む上で都合がよい。また、補強梁の高さ寸法は天井小梁の高さ寸法よりも大きくなっているため、下階ユニットの天井部を補強する上で十分な剛性（強度）を得ることができる。したがって、本発明の構成は、第１の発明の効果を得るにあたって実用上好ましい構成といえる。
【００１８】
第５の発明の建物の断熱構造は、第１乃至第４のいずれかの発明において、前記下階ユニットにおける前記対向する一対の天井大梁間には、前記下階天井面材を支持する複数の天井小梁が前記補強梁と同方向に延びる向きで架け渡されており、前記補強梁及び前記複数の天井小梁は互いに等間隔で並んで配置されており、前記対向する天井大梁の間には、前記補強梁とそれと隣り合う前記天井小梁との間に、前記天井小梁とともに前記下階天井面材を支持する補助小梁が架け渡されていることを特徴とする。
【００１９】
ところで、下階ユニットの天井部に補強梁を設ける場合、例えば等間隔で並ぶ天井小梁の一部を補強梁と置き換えて設けることがユニット設計上の観点等から有利であると考えられる。ただこの場合、補強梁を挟んで隣り合う天井小梁同士の間隔が大きくなってしまうため、補強梁周辺で下階天井面材の支持強度が不足してしまうことが懸念される。そこで本発明では、この点に鑑みて、補強梁とそれと隣り合う天井小梁との間に補助小梁を設け、その補助小梁によって天井小梁とともに下階天井面材を支持するようにしている。これにより、補強梁と下階天井面材との間に断熱材を配設するようにした上述の構成にあっても、下階天井面材を安定した状態で支持することができる。
【００２０】
第６の発明の建物の断熱構造は、第５の発明において、前記補助小梁は、前記補強梁を挟んだ両側にそれぞれ設けられており、前記第２断熱材は、前記下階天井面材と前記上階ユニットの床面材との間の階間空間へ延び、その階間空間に配設される前記補助小梁の少なくとも一部を覆うように設けられていることを特徴とする。
【００２１】
本発明によれば、補助小梁が補強梁を挟んだ両側にそれぞれ設けられているため、補強梁の周辺にて天井面材をより安定した状態で支持することができる。
【００２２】
ここで、下階ユニットの天井面材と上階ユニットの床面材との間の階間空間に配設される補助小梁は、補強梁近くに配置されているため、階間空間に配設されてはいるものの屋外の熱の影響を受け易いと考えられる。そこで本発明では、この点に鑑みて、第２断熱材を階間空間へ延在させ、同断熱材により当該補助小梁の少なくとも一部を覆うようにしている。これにより、当該補助小梁について屋外の熱の影響を受けにくくすることができ、その結果当該補助小梁を介して下階ユニット内の居室空間へ熱の出入りが生じるのを抑制することができる。
【００２３】
第７の発明の建物の断熱構造は、第６の発明において、前記第２断熱材は、前記階間空間に配設された前記補助小梁を上方から覆った状態で設けられていることを特徴とする。
【００２４】
本発明によれば、階間空間に配設された補助小梁が第２断熱材により上方から覆われているため、当該補助小梁の断熱効果を高めることができる。これにより、当該補助小梁を介した下階ユニット内の居室空間への熱の出入りを抑制する効果を高めることができる。
【００２５】
第８の発明の建物の断熱構造は、第５乃至第７のいずれかの発明において、前記補助小梁は、その高さ寸法が前記補強梁よりも小さくされていることを特徴とする。
【００２６】
補助小梁は下階天井面材を支持できる程度の強度を有していれば足り、天井部を補強する補強梁のような高い強度は求められていない。そこで本発明では、この点を考慮して、補助小梁の高さ寸法を補強梁の高さ寸法よりも小さくしている。これにより、補助小梁を無駄に高強度に形成しコスト増大を招くといった不都合が回避されている。
【００２７】
ところで、上記第５乃至第７の発明に第２の発明を適用する場合には、第２断熱材を補助小梁の上方を跨いで配設するとともに、補助小梁と隣り合う補強梁の下方を通して下階天井面材との間で挟み込む必要がある。そのため、第２断熱材を屈曲させて配設しなければならない等、第２断熱材の取り回しが困難になることが想定される。この点、かかる構成に本発明を適用すれば、補助小梁の上面高さを比較的低い位置に設定できるため、補助小梁を大きく跨いで第２断熱材を配設する必要がなくなり、第２断熱材を配設し易くすることができる。
【図面の簡単な説明】
【００２８】
【図１】建物全体を示す概略斜視図。
【図２】下階ユニットの構成を示す斜視図。
【図３】上階ユニットの構成を示す斜視図。
【図４】下階ユニットと上階ユニットとの境界部周辺の構成を示す縦断面図。
【図５】下階ユニットと上階ユニットとの境界部周辺における断熱構造を示す縦断面図。
【発明を実施するための形態】
【００２９】
以下に、本発明を具体化した一実施の形態について図面を参照しつつ説明する。本実施形態では、建物として、二階建てのユニット式建物について具体化している。なお、図１は、建物全体を示す概略斜視図である。
【００３０】
図１に示すように、建物１０は、基礎１１上に配設された建物本体１２と、建物本体１２の上方に配設された屋根１３とを有して構成されている。建物本体１２は、下階部としての一階部分１４と、上階部としての二階部分１５とからなる二階建てとなっている。建物本体１２は、直方体状に形成された複数の建物ユニット２０が互いに連結されることにより構成されている。
【００３１】
一階部分１４では、複数の建物ユニット２０（以下、下階ユニット２０Ａという）が互いの長辺側（桁側）の側面部を向き合わせて配置され、二階部分１５では、複数の建物ユニット２０（以下、上階ユニット２０Ｂという）が互いの長辺側（桁側）の側面部を向き合わせて配置されている。下階ユニット２０Ａと上階ユニット２０Ｂとは上下に隣接して設けられ、互いの長手方向（桁方向）を同方向に向けて配置されている。
【００３２】
上階ユニット２０Ｂは、その短手方向（妻方向）の長さが下階ユニット２０Ａと同じとされている一方、その長手方向（桁方向）の長さが下階ユニット２０Ａよりも短くされている。上階ユニット２０Ｂは、短辺側（妻側）の一方の側面部を下階ユニット２０Ａの短辺側の一方の側面部と位置合わせした状態で下階ユニット２０Ａ上に設置されている。これにより、上階ユニット２０Ｂは、その短辺側の他方の側面部が下階ユニット２０Ａの短辺側の他方の側面部に対して内方（ユニット内側）にオフセットされている。つまり、上階ユニット２０Ｂは、下階ユニット２０Ａに対してセットバック（後退）させて配置されている。
【００３３】
なお、このように、上階ユニット２０Ｂが下階ユニット２０Ａ上にセットバックさせて配置されている点からすれば、上階ユニット２０Ｂをセットバックユニット２０Ｂということもできる。
【００３４】
下階ユニット２０Ａにおいて上階ユニット２０Ｂよりも屋外側（前方）に張り出した部分は下階張出部１９となっている。図示は省略するが、下階張出部１９には、その上面部に下屋（一階屋根）が形成されている。
【００３５】
次に、上下に隣接して設けられる下階ユニット２０Ａ及び上階ユニット２０Ｂの構成について図２及び図３に基づいて説明する。図２は下階ユニット２０Ａの構成を示す斜視図であり、図３は上階ユニット２０Ｂの構成を示す斜視図である。
【００３６】
図２に示すように、下階ユニット２０Ａは、その四隅に配設される４本の柱２１と、各柱２１の上端部及び下端部をそれぞれ連結する各４本の天井大梁２２及び床大梁２３とを備える。そして、それら柱２１、天井大梁２２及び床大梁２３により直方体状の骨格（躯体）が形成されている。柱２１は四角筒状の角形鋼よりなる。また、天井大梁２２及び床大梁２３は断面コ字状の溝形鋼よりなり、その開口部が向き合うようにして、すなわち溝部をユニット内側に向けるようにして設置されている。
【００３７】
下階ユニット２０Ａの天井部では、長辺側（桁側）の相対する天井大梁２２の間に、複数の天井小梁２５が架け渡されているとともに補強梁３１が架け渡されている。天井小梁２５は天井大梁２２よりも高さ寸法の小さいリップ溝形鋼よりなり、その下面が天井大梁２２の下面と同じ高さ位置に設定されている。そして、天井小梁２５によって天井面材２７が支持されている。
【００３８】
補強梁３１は、天井大梁２２よりも高さ寸法の小さい溝形鋼よりなり、その下面が天井大梁２２及び天井小梁２５の下面よりも高い位置に設定されている（図４も参照）。補強梁３１は、天井大梁２２の長手方向の中間部に架け渡されており、この補強梁３１によって下階ユニット２０Ａの天井部の強度が高められている。複数の天井小梁２５と補強梁３１とは互いに等間隔で配置されており、本実施形態ではこの間隔（ピッチ）Ｐ１が５００ｍｍに設定されている。なお、補強梁３１は、天井小梁２５とは異なり、天井面材２７を支持していない。
【００３９】
長辺側の相対する天井大梁２２の間には、さらに一対の補助小梁３２が架け渡されている。これら各補助小梁３２は、天井小梁２５と同じ構成のリップ溝形鋼よりなる。各補助小梁３２は補強梁３１を挟んだ両側に設けられ、隣り合う補強梁３１及び天井小梁２５の間にそれぞれ配置されている。具体的には、各補助小梁３２は、補強梁３１を挟んで隣り合う天井小梁２５間の領域を略等分（略３等分）する位置にそれぞれ配置されている。したがって、２つの補助小梁３２の間隔（ピッチ）Ｐ２は、補強梁３１を挟んで隣り合う天井小梁２５の間隔（２×Ｐ１）の約１／３に設定されている。そして、これら各補助小梁３２は、天井小梁２５とともに天井面材２７を支持している。
【００４０】
下階ユニット２０Ａの床部では、長辺側（桁側）の相対する床大梁２３の間に複数の床小梁２６が架け渡されている。床小梁２６は角形鋼よりなる。床小梁２６は、天井小梁２５及び補強梁３１と上下に対応する位置にそれぞれ配置され、互いに等間隔に並んでいる。そして、床小梁２６によって床面材２８が支持されている。
【００４１】
続いて、上階ユニット２０Ｂの構成について図３に基づいて説明する。上階ユニット２０Ｂは、下階ユニット２０Ａと同様の基本構成を有している。したがって、図３では下階ユニット２０Ａの部材と基本的に同じ構成からなる部材については同じ符号を付し、その説明を省略する。
【００４２】
図３に示すように、上階ユニット２０Ｂは、四隅に配設される柱２１と、各柱２１を連結する天井大梁２２及び床大梁２３とを備え、それら柱２１、天井大梁２２及び床大梁２３により直方体状の骨格（躯体）が形成されている。上階ユニット２０Ｂの天井部では、長辺側の相対する天井大梁２２の間に複数の天井小梁２５が所定の間隔（等間隔）で架け渡され、長辺側の相対する床大梁２３の間に複数の床小梁２６が所定の間隔（等間隔）で架け渡されている。天井小梁２５と床小梁２６とはいずれも同じ間隔で配置され、その間隔が下階ユニット２０Ａの天井小梁２５間の間隔Ｐ１とも同じとなっている。そして、天井小梁２５によって天井面材２７が支持され、床小梁２６によって床面材２８が支持されている。
【００４３】
次に、下階ユニット２０Ａと上階ユニット２０Ｂとの境界部及びその周辺の構成について図４に基づいて説明する。図４は、下階ユニット２０Ａと上階ユニット２０Ｂとの境界部周辺の構成を示す縦断面図である。
【００４４】
図４に示すように、下階ユニット２０Ａの上方に上階ユニット２０Ｂが設置された状態では、下階ユニット２０Ａの補強梁３１の上方（真上）に上階ユニット２０Ｂの（短辺側の）床大梁２３が配置されている。これら床大梁２３と補強梁３１とは互いの溝部を同じ側に向けて上下に対向配置されている。また、この床大梁２３は、建物１０（詳しくは二階部分１５）の外周部に沿って延びる外周梁となっており、以下の説明ではこの床大梁２３の符号にＡを付す。なお、この床大梁２３Ａが「上階床大梁」に相当する。
【００４５】
下階ユニット２０Ａの天井部では、天井大梁２２、天井小梁２５及び補助小梁３２の下面にそれぞれ、これら各梁２２，２５，３２に沿って野縁３４が固定されている。それら野縁３４の下面には、石膏ボードからなる天井面材２７がビス等で固定され、その下面にはクロス等の天井仕上げ材（図示略）が貼り付けられている。なお、天井面材２７が「下階天井面材」に相当する。
【００４６】
これに対して、補強梁３１は、その高さ寸法が天井大梁２２よりも小さく、かつ、天井小梁２５及び補助小梁３２よりも大きくなっている。補強梁３１は、その上面を天井大梁２２の上面と同じ高さ位置に合わせて配置されている。この場合、補強梁３１は、その上面が床大梁２３Ａから下方に離間され、その下面が天井面材２７から上方に離間されている。これにより、補強梁３１の上面と床大梁２３Ａの下面との間には所定の隙間（クリアランス）Ｃ１が形成されており、補強梁３１の下面と天井面材２７との間には所定の隙間（クリアランス）Ｃ２が形成されている。隙間Ｃ２の上下幅Ｗ２は隙間Ｃ１の上下幅Ｗ１よりも大きくなっており、本実施形態では５０〜７０ｍｍに設定されている。
【００４７】
なお、補強梁３１周辺で天井面材２７を安定した状態で支持する上では、補助小梁３２の間隔Ｐ２を３００ｍｍ以下に設定することが望ましい。但し、天井面材２７を安定した状態で支持できるのであれば、補助小梁３２の間隔Ｐ２を３００ｍｍ以上としてもよく、また各補助小梁３２のうちいずれか一方又は両方を設けないようにしてもよい。
【００４８】
上階ユニット２０Ｂの床部では、床大梁２３上及び床小梁２６上にそれぞれ各々の床梁２３，２６に沿って床根太３５が設けられている。それら床根太３５上には、パーティクルボードからなる床面材２８がビス等で固定されている。
【００４９】
下階ユニット２０Ａにおける天井面材２７の上方空間は天井裏空間４１となっている。この天井裏空間４１は、下階ユニット２０Ａの各天井大梁２２によって囲まれた内側空間となっている。この天井裏空間４１のうち、下階張出部１９に対応する領域（換言するとその上方に上階ユニット２０Ｂが設けられていない領域）は、天井面材２７と、当該張出部１９の下屋を形成する屋根材（図示略）との間に形成された屋根裏領域４１ａとなっている。一方、天井裏空間４１のうち、上階ユニット２０Ｂの下方に位置する領域は、天井面材２７と、上階ユニット２０Ｂの床面材２８との間に形成された階間領域４１ｂとなっている。上記の補強梁３１は、これら屋根裏領域４１ａと階間領域４１ｂとを区画するように配設されている。
【００５０】
なお、階間領域４１ｂは、上階ユニット２０Ｂにおいて各床大梁２３によって囲まれた内側空間（床下空間）と連通されており、それら階間領域４１ｂと床下空間との連続空間が下階ユニット２０Ａの天井面材２７と上階ユニット２０Ｂの床面材２８との間の階間空間４２となっている。
【００５１】
図４に示されたその他の構成として、下階ユニット２０Ａには、その天井大梁２２に外壁パネル３６が固定され、その屋内側に内壁パネル３７が設けられている。外壁パネル３６と内壁パネル３７との間にはグラスウールよりなる壁内断熱材３８が設けられている。また、図示は省略するが、上階ユニット２０Ｂにも、下階ユニット２０Ａと同様、外壁パネル３６や内壁パネル３７が設けられ、それら両パネル３６，３７間にグラスウールよりなる壁内断熱材３８が設けられている。
【００５２】
次に、下階ユニット２０Ａと上階ユニット２０Ｂとの境界部周辺における断熱構造について図５に基づいて説明する。なお、図５は、かかる断熱構造を示す縦断面図である。
【００５３】
図５に示すように、下階ユニット２０Ａの天井大梁２２（詳しくは、上階ユニット２０Ｂの下方の天井大梁２２）及び上階ユニット２０Ｂの床大梁２３には、その溝部にグラスウールよりなる梁内断熱材４３が設けられている。梁内断熱材４３は、これら各大梁２２，２３の長手方向全域に亘って延びるように設けられている。これにより、これらの大梁２２，２３が熱橋となって断熱性能が低下することが抑制されている。
【００５４】
下階ユニット２０Ａの天井大梁２２と上階ユニット２０Ｂの床大梁２３とが上下に対向する部分には、それら各大梁２２，２３の間の隙間４８にグラスウールよりなる梁間断熱材４４が設けられている。梁間断熱材４４は、大梁２２，２３の長手方向全域に亘って延びるように形成されている。これにより、この隙間４８を通じて空気の出入りが生じることが抑制されている。
【００５５】
下階ユニット２０Ａの天井裏空間４１には、グラスウールよりなる天井断熱材４５，４６が上下に２枚重ねされて設けられている。これらの天井断熱材４５，４６は、いずれも所定の厚みを有する矩形板状に形成されており、本実施形態ではいずれも同じ構成を有している。具体的には、天井断熱材４５，４６は、下階ユニット２０Ａの長手方向における長さが屋根裏領域４１ａよりも長くなっており、下階ユニット２０Ａの短手方向における長さが補強梁３１と略同じ長さとなっている。また、天井断熱材４５，４６は、その厚みＤ、詳しくは非圧縮状態（自然状態）における厚みＤが補強梁３１と天井面材２７との隙間Ｃ２の幅Ｗ２よりも大きくなっており、本実施形態では７５ｍｍに設定されている。
【００５６】
各天井断熱材４５，４６は、天井裏空間４１において概ね屋根裏領域４１ａに設けられており、特に同領域４１ａにおいてはその全域に亘って設けられている。これにより、下階張出部１９における天井部（屋根天井部）の断熱性能が確保されている。
【００５７】
各天井断熱材４５，４６はいずれも下階ユニット２０Ａの長手方向における補強梁３１側とは反対側の端部が天井大梁２２の溝部４９に入り込んで梁内断熱部４５ａ，４６ａとなっている。これにより、天井大梁２２が熱橋となって断熱性能が低下することが抑制されている。
【００５８】
各天井断熱材４５，４６のうち、下側の天井断熱材４５は、屋根裏領域４１ａにおいて天井面材２７の上面に敷設されており、各天井小梁２５及び補助小梁３２の上方を跨ぐように配設されている。天井断熱材４５は、その一部が天井面材２７と補強梁３１の下面との間に圧縮された状態で挟み込まれており、その挟み込まれた部分が挟み込み部４５ｂとなっている。この挟み込み部４５ｂは、補強梁３１の長手方向全域に亘って設けられており、これにより、天井面材２７と補強梁３１との間を通じて空気の出入りが生じることが抑制されている。なおここで、天井断熱材４５が第２断熱材に相当する。
【００５９】
天井断熱材４５は、さらに挟み込み部４５ｂから階間領域４１ｂ（階間空間４２）へと延びる余剰部分４５ｃを有している。余剰部分４５ｃは、その長さ寸法Ｌ１が例えば１５０ｍｍ程度に設定されており、その端部において階間領域４１ｂに配設された補助小梁３２（以下、この補助小梁３２の符号にＡを付す）の一部を覆っている。より詳しくは、補助小梁３２Ａは、その溝部を補強梁３１とは反対側に向けて設けられており、同補助小梁３２Ａのウェブ３２ａの外側面及び上フランジ３２ｂの上面が余剰部分４５ｃの端部によって覆われた状態となっている。この余剰部分４５ｃが設けられていることで、天井断熱材４５の一部を確実に天井面材２７と補強梁３１との間で挟み込むことが可能となっている。
【００６０】
上側の天井断熱材４６は、その一部が補強梁３１の上面と床大梁２３Ａの下面との間に圧縮された状態で挟み込まれており、その挟み込まれた部分が挟み込み部４６ｂとなっている。この挟み込み部４６ｂは、補強梁３１の長手方向全域に亘って設けられており、これにより、補強梁３１と床大梁２３Ａとの間を通じて空気の出入りが生じることが抑制されている。なおここで、天井断熱材４６が第１断熱材に相当する。
【００６１】
天井断熱材４６は、さらに挟み込み部４６ｂから階間領域４１ｂへと延びる余剰部分４６ｃを有している。この余剰部分４６ｃは、天井断熱材４５の余剰部分４５ｃと同様、その長さ寸法Ｌ１が例えば１５０ｍｍ程度に設定されている。この余剰部分４６ｃが設けられていることで、天井断熱材４６の一部を確実に補強梁３１と床大梁２３Ａとの間で挟み込むことが可能となっている。
【００６２】
また、補強梁３１と補助小梁３２との間の間隔Ｌ２は、天井断熱材４５の厚み寸法Ｄ以上の大きさに設定されている（Ｌ２≧Ｄ）。これにより、天井断熱材４５を補強梁３１と補助小梁３２との間を通じて配設するにあたり、補助小梁３２が支障となることが抑制されている。
【００６３】
以上、詳述した本実施形態の構成によれば、以下の優れた効果が得られる。
【００６４】
下階ユニット２０Ａの対向する一対の天井大梁２２間に、補強梁３１を架け渡して設けたため、下階ユニット２０Ａの天井部の強度を高めることができる。また、補強梁３１を、上階ユニット２０Ｂの床大梁２３Ａから下方に離間させて配置し、かつ、下階ユニット２０Ａの天井面材２７から上方に離間させて配置した。そして、補強梁３１と床大梁２３Ａとの間に天井断熱材４６を挟み込み、補強梁３１と天井面材２７との間に天井断熱材４５を挟み込んだ。これにより、補強梁３１の上下両側でそれぞれ外気の出入りが生じるのを抑制することができ、その結果、外気の出入りに伴う断熱性能の低下を抑制することができる。よって、この場合、下階ユニット２０Ａの天井部の強度を確保しつつ、断熱性能の低下を抑制することができる。
【００６５】
下階ユニット２０Ａにおける天井裏空間４１の屋根裏領域４１ａに２枚重ねで設けた各天井断熱材４５，４６をそれぞれ補強梁３１と床大梁２３Ａとの間、及び補強梁３１と天井面材２７との間にそれぞれ挟み込むようにした。これにより、天井断熱材４５，４６とは別部材からなる断熱材を挟み込むようにする場合と比べ、構成の簡素化を図ることができる。
【００６６】
補強梁３１と天井面材２７との間の隙間Ｃ２の幅Ｗ２を、補強梁３１と床大梁２３Ａとの間の隙間Ｃ１の幅Ｗ１よりも大きくしたため、補強梁３１と天井面材２７との間に挟み込まれる天井断熱材４５の厚みを補強梁３１と床大梁２３Ａとの間に挟み込まれる天井断熱材４６の厚みよりも大きくすることができる。これにより、屋外の熱が補強梁３１を介して天井面材２７へ伝わるのを抑制することができ、ひいてはその下方の居室空間へ伝わるのを抑制することができる。そのため、断熱性能の低下をより一層抑制することができる。
【００６７】
補強梁３１の高さ寸法を天井大梁２２の高さ寸法よりも小さくしたため、補強梁３１と床大梁２３Ａとの間、及び、補強梁３１と天井面材２７との間にそれぞれ隙間Ｃ１，Ｃ２を確保し易い。そのため、それら各隙間Ｃ１，Ｃ２に天井断熱材４５，４６を挟み込む上で都合がよい。また、補強梁３１の高さ寸法を天井小梁２５の高さ寸法よりも大きくしたため、下階ユニット２０Ａの天井部を補強する上で十分な剛性（強度）を得ることができる。よって、かかる構成は、下階ユニット２０Ａの天井部の強度を確保しつつ、断熱性能の低下を抑制することができるという上述の効果を得るにあたり実用上好ましい構成といえる。
【００６８】
下階ユニット２０Ａの天井部に補強梁３１を設ける場合、例えば等間隔で並ぶ天井小梁２５の一部を補強梁３１と置き換えて設けることがユニット設計上の観点等から有利であると考えられる。ただこの場合、補強梁３１を挟んで隣り合う天井小梁２５同士の間隔が大きくなってしまうため、補強梁３１周辺で天井面材２７の支持強度が不足してしまうことが懸念される。この点、上記の実施形態では、補強梁３１とそれと隣り合う天井小梁２５との間に補助小梁３２を設け、その補助小梁３２によって天井小梁２５とともに天井面材２７を支持するようにしたため、補強梁３１と天井面材２７との間に天井断熱材４５を配設した構成にあっても、天井面材２７を安定した状態で支持することができる。
【００６９】
また、補助小梁３２を補強梁３１の周辺に設けたことで、下階ユニット２０Ａの天井部の補強効果を高めることもできる。
【００７０】
また、補助小梁３２を補強梁３１を挟んだ両側にそれぞれ設けたため、補強梁３１の周辺において天井面材２７をより安定した状態で支持することができるとともに、天井部の補強効果をより一層高めることができる。
【００７１】
天井断熱材４５を階間空間４２へ延在させ、同空間４２に配設される補助小梁３２Ａの一部を天井断熱材４５により覆った。これにより、階間空間４２に配設されてはいるものの補強梁３１近くに配置されているが故に屋外の熱の影響を受け易い補助小梁３２Ａを断熱することができる。そのため、補助小梁３２Ａを介して下階ユニット２０Ａ内の居室空間へ熱の出入りが生じるのを抑制することができる。
【００７２】
具体的には、天井断熱材４５により補助小梁３２Ａの上面を覆うようにしたため、補助小梁３２Ａの断熱効果を高めることができ、当該補助小梁３２Ａを介した下階ユニット２０Ａ内の居室空間への熱の出入りを抑制する効果を高めることができる。
【００７３】
ところで、補助小梁３２は天井面材２７を支持できる程度の強度を有していれば足り、天井部を補強する補強梁３１のような高い強度は求められていない。この点、上記の実施形態では、補助小梁３２の高さ寸法を補強梁３１の高さ寸法よりも小さくしており、これにより、補助小梁３２を無駄に高強度に形成しコスト増大を招くといった不都合が回避されている。
【００７４】
また、補助小梁３２の高さ寸法を補強梁３１の高さ寸法よりも小さくすることで、補助小梁３２の上面高さを比較的低い位置に設定することができる。この場合、天井断熱材４５は補助小梁３２の上方を大きく跨いで配設する必要がないため、天井断熱材４５を補助小梁３２上を跨いで配設するとともに、その補助小梁３２に隣り合う補強梁３１の下方を通して天井面材２７との間で挟み込む構成にあって、天井断熱材４５の取り回しが困難となるのを抑制することができ、その結果天井断熱材４５を設置し易くすることができる。
【００７５】
補助小梁３２を、天井小梁２５と同じ構成としたため、部材の共通化を図ることができ、コスト低減や製造工数低減等の効果が得られる。
【００７６】
本発明は上記実施形態に限らず、例えば次のように実施されてもよい。
【００７７】
（１）上記実施形態では、天井裏空間４１（屋根裏領域４１ａ）に設けられた天井断熱材４５，４６の一部をそれぞれ天井面材２７と補強梁３１との間、及び補強梁３１と床大梁２３Ａとの間に挟み込むようにしたが、これを変更してもよい。例えば、天井面材２７と補強梁３１との間（隙間Ｃ２）に、天井断熱材４５とは別部材からなる断熱材（第２断熱材に相当）を配設し、その断熱材を両者２７，３１間に挟み込むようにしてもよい。また、補強梁３１と床大梁２３Ａとの間（隙間Ｃ１）に天井断熱材４６とは別部材からなる断熱材（第１断熱材に相当）を配設し、その断熱材をそれら両者２３Ａ，３１間に挟み込むようにしてもよい。この場合でも、補強梁３１の上下両側で空気の出入りを抑制することができるため、断熱性能の低下を抑制することができる。
【００７８】
（２）上記実施形態では、天井裏空間４１の屋根裏領域４１ａに天井断熱材４５，４６を上下に２枚重ねして設けたが、３つ以上の天井断熱材を重ねて設けてもよい。その場合、３つ以上の天井断熱材のうちいずれか２つの天井断熱材について、その下側の天井断熱材（第２断熱材に相当）を補強梁３１と天井面材２７との間に挟み込み、その上側の天井断熱材（第１断熱材に相当）を補強梁３１と床大梁２３Ａとの間に挟み込むようにすればよい。
【００７９】
また、天井断熱材４５，４６を、下階ユニット２０Ａの長手方向又は短手方向に複数に分割して設けてもよい。この場合、分割された複数の天井断熱材４５，４６のうち補強梁３１付近に配置されている天井断熱材４５，４６を補強梁３１と天井面材２７との間、及び、補強梁３１と床大梁２３Ａとの間にそれぞれ挟み込めばよい。
【００８０】
（３）上記実施形態では、天井面材２７と補強梁３１との隙間Ｃ２の上下幅Ｗ２を補強梁３１と床大梁２３Ａとの隙間Ｃ１の上下幅Ｗ１よりも大きくしたが（Ｗ２＞Ｗ１）、隙間Ｃ２の上下幅Ｗ２を隙間Ｃ１の上下幅Ｗ１より小さくしてもよいし（Ｗ２＜Ｗ１）、隙間Ｃ１の上下幅Ｗ１と同じとしてもよい（Ｗ２＝Ｗ１）。要するに、天井断熱材４５を天井面材２７と補強梁３１との間に挟み込むことができ、かつ、天井断熱材４６を補強梁３１と床大梁２３Ａの間に挟み込むことができれば、隙間Ｃ１，Ｃ２の上下幅Ｗ1，Ｗ２は任意の大きさに設定してよい。
【００８１】
（４）上記実施形態では、各補助小梁３２をそれぞれ天井小梁２５と同じ構成としたが、各補助小梁３２のうちいずれか一方又は両方を天井小梁２５と異なる構成としてもよい。例えば、補助小梁３２を天井小梁２５よりも高強度に形成することが考えられる。具体的には、補助小梁３２を補強梁３１と同じ構成の溝形鋼により形成することが考えられる。そうすれば、下階ユニット２０Ａの天井部の強度をより一層高めることが可能となる。
【００８２】
（５）下階ユニット２０Ａの天井面材２７と補強梁３１の下面との隙間Ｃ２を利用して、ダウンライト等の照明器具を設置してもよい。具体的には、当該隙間Ｃ２の一部に天井断熱材４５を配設しないようにすることで照明器具の照明設置スペースを設け、天井面材２７において同スペースに対応する部位に照明器具を配設するための開口部を設ける。そして、照明器具を、その一部を設置スペースに入り込ませた状態で開口部に配設する。この場合、上記の隙間Ｃ２を天井断熱材４５の配設スペースとして利用することに加え、照明装置の設置スペースとして利用することができ、隙間Ｃ２の有効利用を図ることができる。また、このように隙間Ｃ２を照明器具の設置スペースとして利用することで、補強梁３１により天井面材２７を支持する従来の構成、すなわちかかる隙間Ｃ２が存在しない構成と比べて、照明器具の設置自由度を高めることが可能となる。
【００８３】
また、補強梁３１の両側の各補助小梁３２のうち少なくともいずれかを設けないようにすることで、照明器具の設置スペースを水平方向（補強梁３１と直交する方向）に拡張してもよい。そうすれば、照明器具の設置自由度をより一層高めることができる。
【００８４】
なお、天井面材２７と補強梁３１との隙間Ｃ２の上下幅Ｗ２が補強梁３１と床大梁２３Ａとの隙間Ｃ１の上下幅Ｗ１よりも大きくされた上記実施形態の構成は、隙間Ｃ２を照明器具の設置スペースとして利用する上で好都合な構成となっている。
【００８５】
（６）上記実施形態では、２階建ての建物１０において、一階部分１４の下階ユニット２０Ａ上に二階部分１５の上階ユニット２０Ｂをセットバックさせて配置した構成に本発明の断熱構造を適用したが、例えば３階建ての建物において、二階部分を構成する二階ユニット（下階ユニット）上に三階部分を構成する三階ユニット（上階ユニット）をセットバックさせて配置した構成に本発明を適用してもよい。
【符号の説明】
【００８６】
１０…建物、２０…建物ユニット、２０Ａ…下階ユニット、２０Ｂ…上階ユニット、２３…床大梁、２５…天井小梁、３１…補強梁、３２…補助小梁、４１…天井裏空間、４２…階間空間、４５…第２断熱材としての天井断熱材、４６…第１断熱材としての天井断熱材。
【図１】
2014159700.tif 000003
【図２】
2014159700.tif 000004
【図３】
2014159700.tif 000005
【図４】
2014159700.tif 000006
【図５】
2014159700.tif 000007